(57)【要約】【課題】  軽量にして任意の色彩や形状によるプランターあるいは舗装材等として用いる煉瓦を提供する。【解決手段】  任意の色に着色した繊維補強コンクリートにより外形が四角形、多角形あるいは円筒形等に成形した煉瓦本体１であり、天板部又は底板部２の何れか１つを有し、これと対面する面は開口３した中抜き空洞４で、前記天板部又は底板部２にノックアウトして水抜き穴５を形成するための一部薄肉部を必要に応じて設け、単体若しくは多数個の組み合わせによりプランターあるいは舗装材等として用いるようにした。【選択図】        図１
2006296321.tif 000002
【特許請求の範囲】
【請求項１】
任意の色に着色した繊維補強コンクリートにより外形を四角形、多角形あるいは円筒形等に成形した煉瓦本体であり、天板部又は底板部の何れか１つを有し、これと対面する面は開口した中抜き空洞形態で、前記天板部又は底板部にノックアウトして水抜き穴を形成するための一部薄肉部を必要に応じて設け、単体若しくは多数個の組み合わせによりプランターあるいは舗装材等として用いることを特徴とする多目的煉瓦。
【発明の詳細な説明】
【技術分野】
【０００１】
本発明は、プランターや庭等の舗装用に適した多目的煉瓦に関するものである。
【背景技術】
【０００２】
従来の一般的な煉瓦は、粘土に砂・石灰などを加え、型に入れて窯で焼き固めたものであり、普通、直方体に形づくり、土木建築材料として壁・道路・窯などに用ている赤煉瓦である。
【０００３】
このような従来の煉瓦は、その用途が土木建築材料として壁・道路・窯などに限られており、しかも、むくの直方体であるため、重たくて持ち運びが容易ではなく円滑、且つ迅速な作業性に難点を有していると共に、成形には焼成するための窯設備や焼成の手間を有している等の問題がある。
【特許文献１】特開２００２−０５４２５５公報
【特許文献２】特開２００２−０８１１５２公報
【特許文献１】特開２００２−３１７５１２公報
【発明の開示】
【発明が解決しようとする課題】
【０００４】
本発明の目的は、軽量にして任意の色彩や形状によるプランターあるいは舗装材等として用いるを煉瓦を提供することである。
【課題を解決するための手段】
【０００５】
上記の目的を達成するための本発明は、請求項１に記載の通り、任意の色に着色した繊維補強コンクリートにより外形を四角形、多角形あるいは円筒形等に成形した煉瓦本体であり、天板部又は底板部の何れか１つを有し、これと対面する面は開口した中抜き空洞で、前記天板部又は底板部にノックアウトして水抜き穴を形成するための一部薄肉部を必要に応じて設け、単体若しくは多数個の組み合わせによりプランターあるいは舗装材等として用いることを特徴とするものである。
【発明の効果】
【０００６】
本発明によると、焼成用の窯や焼成の手間を要することなくプランターあるいは舗装材等として用いる軽量で作業性を向上し、任意の色彩や形状によるた多目的煉瓦を提供することができる効果を有している。
【発明を実施するための最良の形態】
【０００７】
以下本発明を実施するための最良の形態について図面に基づいて説明する。図１は第１実施例、図２は第２実施例、図３は第３実施例、図４は第４実施例、図５は第５実施例、図６は第６実施例を示し、以下各実施例を順次説明する。
【０００８】
図１は第１実施例であり、図１（Ａ）は平面図、図１（Ｂ）は正面図、図１（Ｃ）は側面図である。この第１実施例は、直方体の煉瓦本体１ａであり、表面側に天板部２を有し、この天板部２と対面する裏面側は開口３した中抜きの空洞４の形態であり、任意の色の繊維補強コンクリートで成形されている。尚、上記天板部２は開口３した側を上向きに反転すると前記空洞４の底板部となる。
【０００９】
前記天板部２にはノックアウトにより簡単に穴抜きができる一部肉厚の薄い部分の水抜き穴５が必要に応じて形成されている。
【００１０】
図２は第２実施例であり、図２（Ａ）は平面図、図２（Ｂ）は正面図、図２（Ｃ）は側面図である。この第２実施例は、前記第１実施例の高さ方向の厚みを略１／２に小さくした直方体の煉瓦本体１ｂであり、表面側に天板部２を有し、この天板部２と対面する裏面側は開口３した中抜きの空洞４の形態であり、任意の色の繊維補強コンクリートで成形されている。尚、上記天板部２は開口３した側を上向きに反転すると前記空洞４の底板部となる。  
【００１１】
この第２実施例の天板部２にもノックアウトにより簡単に穴抜きができる一部肉厚の薄い部分の水抜き穴５が必要に応じて形成されている。
【００１２】
図３は第３実施例であり、図３（Ａ）は平面図、図３（Ｂ）は正面図、図３（Ｃ）は側面図である。この第３実施例は、前記第２実施例の変形例であり、一方の側面を凸円弧６とし、他方の側面を前記凸円弧６と対応した凹円弧７を形成した煉瓦本体１ｃであり、表面側に天板部２を有し、この天板部２と対面する裏面側は開口３した中抜きの空洞４の形態であり、任意の色の繊維補強コンクリートで成形されている。尚、上記天板部２は開口３した側を上向きに反転すると前記空洞４の底板部となる。
【００１３】
この第３実施例の天板部２にもノックアウトにより簡単に穴抜きができる一部肉厚の薄い部分の水抜き穴５が必要に応じて形成されている。
【００１４】
図４は第４実施例であり、図４（Ａ）は平面図、図４（Ｂ）は正面図、図４（Ｃ）は側面図である。この第４実施例は、側壁が例えば６角の多角形に形成した煉瓦本体１ｄであり、表面側に天板部２を有し、この天板部２と対面する裏面側は開口３した中抜きの空洞４の形態であり、任意の色の繊維補強コンクリートで成形されている。尚、上記天板部２は開口３した側を上向きに反転すると前記空洞４の底板部となる。
【００１５】
この第４実施例の天板部２にもノックアウトにより簡単に穴抜きができる一部肉厚の薄い部分の水抜き穴５が必要に応じて形成されている。
【００１６】
図５は第５実施例であり、図５（Ａ）は平面図、図５（Ｂ）は正面図、図５（Ｃ）は側面図である。この第５実施例は、扇形に形成した煉瓦本体１ｅであり、表面側に天板部２を有し、この天板部２と対面する裏面側は開口３した中抜きの空洞４の形態であり、任意の色の繊維補強コンクリートで成形されている。尚、上記天板部２は開口３した側を上向きに反転すると前記空洞４の底板部となる。
【００１７】
この第５実施例の天板部２にもノックアウトにより簡単に穴抜きができる一部肉厚の薄い部分の水抜き穴５が必要に応じて形成されている。
【００１８】
図６は第６実施例であり、図６（Ａ）は平面図、図６（Ｂ）は正面図である。この第５実施例は、円筒形に形成した煉瓦本体１ｆであり、表面側に天板部２を有し、この天板部２と対面する裏面側は開口３した中抜きの空洞４の形態であり、任意の色の繊維補強コンクリートで成形されている。尚、上記天板部２は開口３した側を上向きに反転すると前記空洞４の底板部となる。
【００１９】
この第６実施例の天板部２にもノックアウトにより簡単に穴抜きができる一部肉厚の薄い部分の水抜き穴５が必要に応じて形成されている。
【００２０】
本発明は上記の通りの構造であるから、第１実施例〜第６実施例の何れにおいても内部が中抜きの空洞４であるため、軽量化が実現され、持ち運びが容易で作業性を向上し工期の短縮と労力の軽減が図られる。
【００２１】
本発明による煉瓦の用途は、表面側の天板部２を上向きにして、例えば、家庭の庭の敷石や公園、庭園などの歩道等に敷き詰める煉瓦舗装材として用いられる。この場合、第１実施例及び第２実施例の直方体の煉瓦本体１ａ、１ｂでは縦横区分した碁盤の目のような形態で敷き詰められ、第３実施例の一方の側面を凸円弧６とし、他方の側面を前記凸円弧６と対応した凹円弧７を形成した煉瓦本体１ｃでは、その長手方向端で凸円弧６と凹円弧７が嵌合した鱗状の形態で敷き詰められ、第４実施例の多角形に形成した煉瓦本体１ｄでは多角形の各面を対接して敷き詰めることにより多角形態の模様のように具現され、第５実施例の扇形に形成した煉瓦本体１ｅでは扇形模様を具現して敷き詰められる。また、第６実施例の円筒形に形成した煉瓦本体１ｆでは飛び石状態で敷き詰められる。従って、何れの煉瓦本体１ａから１ｆにおいても美麗な模様形態の舗装面が得られるのである。
【００２２】
また、開口３した側を上向きに反転することにより、天板部２が空洞４の底板部となり、この空洞４内に鹿沼土、赤玉土、培養土、腐葉土等の園芸用土を充填してプランターとして用いられる。このプランターとして用いるときには、底板部となった天板部２に形成されている水抜き穴５をノックアウトして穴抜きする。
【００２３】
プランターとして用いる場合は、第１実施例〜第６実施例の煉瓦本体１ａ〜１ｆの単体で用いてもよいし、多数個を並列あるいは縦列して用いる。
【００２４】
さらに、本発明の煉瓦は、上記のような舗装材や園芸用品のプランターの他に屋内や屋外での諸々の小物を散乱させることなく整理して収容し保管する装飾容器として用いることができる。
【００２５】
上記した第１実施例〜第６実施例の煉瓦本体１ａ〜１ｆは任意の色に着色した繊維補強コンクリートで成形されているため、従来一般的な単一色の赤煉瓦と比較して色彩が豊かな美観を有する煉瓦を提供することができる。また、木目模様を施すことにより色彩が豊かな美観と相まって、焼成用の窯や焼成の手間を要することなく従来の煉瓦では見られない木目模様の美麗な多目的煉瓦を提供することができる。
【００２６】
本発明の煉瓦は、所要の形状の型に繊維補強コンクリートを流し込んで乾燥固化することで、焼成用の窯や焼成の手間を要することなく成形することができる。
【００２７】
尚、本発明の煉瓦は上記した第１実施例〜第６実施例で例示した形状に限定されるものではないことを付言する。
【図面の簡単な説明】
【００２８】
【図１】本発明の第１実施例の平面図、正面図及び側面図である。
【図２】本発明の第２実施例の平面図、正面図及び側面図である。
【図３】本発明の第２実施例の平面図、正面図及び側面図である。
【図４】本発明の第４実施例の平面図、正面図及び側面図である。
【図５】本発明の第５実施例の平面図、正面図及び側面図である。
【図６】本発明の第６実施例の平面図及び正面図である。
【符号の説明】
【００２９】
１ａ    四角形の煉瓦本体
１ｂ    四角形の煉瓦本体
１ｃ    一方の側面に凸円弧を他方の側面に凹円弧を形成した煉瓦本体
１ｄ    多角形に形成した煉瓦本体
１ｅ    扇形に形成した煉瓦本体
１ｆ    円筒形に形成した煉瓦本体
２      天板部（底板部）
３      開口
４      空洞
５      水抜き穴
６      凸円弧
７      凹円弧
【図１】
2006296321.tif 000003
【図２】
2006296321.tif 000004
【図３】
2006296321.tif 000005
【図４】
2006296321.tif 000006
【図５】
2006296321.tif 000007
【図６】
2006296321.tif 000008